(57)【特許請求の範囲】
【請求項１】
鏡筒の光軸先端に着脱可能なレンズフードであって、本レンズフードに回転自在に保持され入射光を制限する入射光制限手段と、前記入射光制限手段に設けられた位置決め手段と、前記鏡筒に設けられ前記位置決め手段と係合する被位置決め手段とを備え、本レンズフードを前記鏡筒に装着する時に、前記位置決め手段と前記被位置決め手段とを係合させることを特徴とするレンズフード。
【請求項２】
本レンズフードに設けられた第１のネジ部と、鏡筒に設けられた第２のネジ部とを備え、前記レンズフードを前記鏡筒に装着する時は、前記第１のネジ部と前記第２のネジ部とを締結させることを特徴とする請求項１記載のレンズフード。
【発明の詳細な説明】
【０００１】
【発明の属する技術分野】
本発明は、ビデオカメラの鏡筒に装着して入射光を制御するレンズフードに関するものである。
【０００２】
【従来の技術】
近年、銀塩カメラやビデオカメラなどの撮影機器において、フレアの無い良好な画像を得るため、レンズフードの内面に上下に水平部を設けた遮光リブを形成する場合がある。この遮光リブを設けたレンズフードは、ケラレ等の光学的制約条件から、装着角度位相を所定の位相にしておく必要がある。
【０００３】
以下に従来のレンズフードについて説明する。
【０００４】
図３は従来のレンズフードと撮影機器（ビデオカメラ）のそれぞれ正面から見た断面図で、同図（ａ）は図５におけるａ−ａ部断面、同図（ｂ）は図５におけるｂ−ｂ部断面である。図４は従来のレンズフードを撮影機器に装着した状態を示す断面図（一部透視図）、図５は従来のレンズフードの装着動作を説明するための斜視図である。
【０００５】
図において、上下に水平部１３ａを設けた遮光リブ１３ｂを有するマスク１３は、フード１２と嵌合によって一体化しており、この２部品にてレンズフード１１を形成している。このレンズフード１１はフード１２に設けられたリブ１２ａと撮影機器１４の突起１４ａが締結すると撮影機器１４から脱落しない構造になっている。またレンズフード１１が所定の角度位相で撮影機器１４に装着されているときは、クリックバネ１６によって付勢されたクリックボール１５がリブ１２ａに設けられたクリック溝１２ｂにはまり込むようになっている。
【０００６】
以上のように構成された従来のレンズフードについて、以下にその動作を説明する。
【０００７】
使用者がレンズフード１１を撮影機器１４に装着する際、図３及び図５に示すように、リブ１２ａと突起１４ａの切り欠きとを位置合わせし、切り欠きにリブ１２ａを挿入し、レンズフード１１を矢印Ａ方向へ所定の角度回動させる。すると図４に示すようにリブ１２ａと突起１４ａが係合し、レンズフード１１は撮影機器１４から脱落しない状態となる。
【０００８】
なおかつ、クリックバネ１６によって付勢されたクリックボール１５がクリック溝１２ｂにはまり込み、節度を持ってレンズフード１１の回動が止まり、撮影機器１４のレンズ光軸上に所定の角度位相でレンズフード１１が装着される。
【０００９】
【発明が解決しようとする課題】
しかしながら従来の構成では、レンズフード１１を所定の角度位相で固定するためにクリックボール１５やその付勢のためのクリックバネ１６が必要となり、部品点数、組み立て工数の増大につながるという欠点を有していた。
【００１０】
本発明は上記従来の問題点を解決するためのもので、所定の角度位相で撮影機器に装着することが可能なレンズフードを少ない部品点数で提供することを目的とする。
【００１１】
【課題を解決するための手段】
この目的を達成するために本発明のレンズフードは、鏡筒の光軸先端に装着可能なレンズフードであって、本レンズフードに回転自在に保持され入射される不要光線を遮断する遮光手段と、前記遮光手段に設けられた位置決め手段と、前記鏡筒に設けられ前記位置決め手段と係合する被位置決め手段とを備え、本レンズフードを前記鏡筒に装着する時に、前記位置決め手段と前記被位置決め手段とを係合させるものである。
【００１２】
この構成により、所定の角度位相で撮影機器に装着することが可能なレンズフードを少ない部品点数で提供することが可能となる。
【００１３】
【発明の実施の形態】
本発明の請求項１及び２に記載の発明は、鏡筒の光軸先端に装着可能なレンズフードであって、本レンズフードに回転自在に保持され入射される不要光線を遮断する遮光手段と、前記遮光手段に設けられた位置決め手段と、前記鏡筒に設けられ前記位置決め手段と係合する被位置決め手段とを備え、本レンズフードを前記鏡筒に装着する時に、前記位置決め手段と前記被位置決め手段とを係合させるものであり、このような構成により、所定の角度位相で撮影機器に装着することが可能なレンズフードを少ない部品点数で提供することが可能となる。
【００１４】
以下、本発明の実施の形態について、図面を用いて説明する。
【００１５】
（実施の形態１）
図１は本発明の実施の形態のレンズフードを撮影機器に装着した状態を示す断面図、図２は本実施の形態のレンズフードの装着動作を説明するための斜視図である。
【００１６】
図において、４は被写体の映像を撮影可能な撮影機器で、本図はその一部である鏡筒を示している。この撮影機器４は例えばビデオカメラに相当するが、銀塩カメラやデジタルカメラのようにレンズフードを使用する機器であればよい。なお図１において、説明の便宜上、撮影機器４におけるレンズフード１装着部近傍のみ断面図示した。
【００１７】
１は撮影機器４の先端に装着して不要光線を遮断するレンズフードで、本実施の形態では撮影機器４の先端に形成された第２のネジ部である雄ネジ４ｂに螺合して装着される。
【００１８】
２はレンズフード１の最外郭に配されたフードで、使用者はフード２の外周部を持って回転させることで、撮影機器４への脱着を行うことができる。２ａはフード２の内側に設けられ撮影機器４の雄ネジ４ｂと螺合する第１のネジ部である雌ネジである。
【００１９】
３はフード２内に回転自在に保持され、略中央部分に開口を有し不要な入射光を制限する入射光制限手段であるマスク、３ｂはマスク３の一部であり図示のように略四角形状の開口を有した遮光リブ、３ａは遮光リブ３ｂに設けられた開口の一部を成し、開口の上下に平行に形成された水平部で、この水平部３ａで入射される光線の上下方向の制限を行っている。３ｃはマスク３の外周円上に設けられ、光軸方向（撮影機器４側）に突出する形状で設けられた位置決め手段である位相合わせ凸部で、撮影機器４に設けられた被位置決め手段である位相合わせ凹部４ａに係合することで、マスク３の、撮影機器４におけるレンズ光軸上に所定の角度位相を確定することができ、この角度位相でのみ装着可能になっている。
なお、本実施の形態では位相合わせ凸部３ｃ及び位相合わせ凹部４ａはそれぞれ１ヶ所のみ設けたが、複数箇所設けてもよい。また、この位置合わせ凸部３ｃはマスク３と一体的に設けられたものであり、形成の際は別部品を設けるのではなく、マスク３の一部を図示のような形状になるよう成形したり、部分的に曲げたりすることにより形成できるので、たとえ位置合わせ凸部３ｃの数を増やしたとしても部品点数の増加にはつながらない。また、本実施の形態では部品点数を削減するために、マスク３、水平部３ａ、遮光リブ３ｂ、位置合わせ凸部３ｃを一体成形したが、同様な役割を果たすものであれば、コストを大幅に増加させない範囲でそれぞれ別部品で構成してもよい。
【００２０】
フード２はこのマスク３を回転自在に保持し、かつ、回転操作によって雌ネジ２ａと、撮影機器４に設けられた雄ネジ４ｂとを締結することで、撮影機器４のレンズ光軸上に装着固定が可能になっている。このフード２とマスク３の二部品にてレンズフード１を形成している。
【００２１】
以上のように構成された本実施の形態のレンズフードについて、以下図１、図２を用いてその動作を説明する。
【００２２】
使用者がレンズフード１を撮影機器４に装着する際、図２の状態から、レンズフード１を撮影機器４側に矢印Ｂ方向へ移動させる。そして、マスク３の位相合わせ凸部３ｃを矢印Ｄに示すように、撮影機器４の位相合わせ凹部４ａに挿入する。次に、フード２の雌ネジ２ａと撮影機器４の雄ネジ４ａの先端を係合させ、ネジの締結方向（矢印Ｃ方向）にフード２を回転させる。すると雌ネジ２ａと雄ネジ４ａとが締結されていき、フード２を所定の位置まで回転させると、図１に示すようにレンズフード１は撮影機器４に装着固定される。
【００２３】
なお、フード２を回転させている時、マスク３はフード２に対して回転自在に保持されているため、フード２を回転させて撮影機器４に締結し続けても、マスク３は位相合わせ凸部３ｃと位相合わせ凹部４ａとが係合しているため回転せず、フード２の内部で回転方向の位置を変えずに空転している。撮影機器４に対するマスク３の装着角度位相は、位相合わせ凸部３ｃが位相合わせ凹部４ａに係合しているために所定角度に位置決めされ、この位置は光学的制約条件を満足することができるように設定されている。
【００２４】
レンズフード１を撮影機器４から離脱する時は、レンズフード１を矢印Ｃとは反対方向（レンズフード側から見て反時計方向）に回転させることで、雌ネジ２ａと雄ネジ４ｂとの螺合が外れ、レンズフード１を撮影機器４から離脱することができる。なお、この離脱動作時も、マスク３はフード２の内部で位置を変えずに空転している。
【００２５】
なお、本実施の形態ではレンズフード１と撮影機器４の締結をねじ結合としたが、前述の従来技術に示すようなリブと突起とを係合させるような構成にしてもよい。
【００２６】
以上のように本実施の形態によれば、レンズフード１のフード２に雌ネジ２ａを設け、撮影機器４に雄ネジ４ｂを設けて、各々を締結する構成としたので、部品点数を増加させることなく、レンズフード１の取り付け機構を構成することができる。
【００２７】
また、レンズフード１に設けられたマスク３をフード２において回転自在に保持し、マスク３の位置決めを行う凹部と凸部を設けたことにより、レンズフード１を回転させて撮影機器４に装着しても、マスク３の位置（角度）は変化せず、光学的に確実に装着することができる。
【００２８】
さらに、レンズフード１に雌ネジ２ａを設け、撮影機器４に雄ネジ４ａを設けて、それぞれを螺合してレンズフード１を撮影機器４に装着する構成としたので、簡単かつ確実に着脱動作を行うことができる。
【００２９】
【発明の効果】
以上のように本発明は、所定の角度位相で位置決めして撮影機器に装着することが可能なレンズフードを、少ない部品点数で提供することができるという優れた効果を奏するものである。
【図面の簡単な説明】
【図１】本発明の実施の形態のレンズフードの断面図
【図２】本発明の実施の形態のレンズフードの装着動作を説明するための斜視図
【図３】従来のレンズフードと撮影機器（ビデオカメラ）の締結部の構成を示す正面視の断面図
【図４】従来のレンズフードの断面図（一部透視図）
【図５】従来のレンズフードの装着動作を説明するための斜視図
【符号の説明】
１  レンズフード
２  フード
２ａ  雌ネジ
３  マスク
３ａ  水平部
３ｂ  遮光リブ
３ｃ  位相合わせ凸部
４  撮影機器
４ａ  位相合わせ凹部
４ｂ  雄ネジ
【図１】
0004779268.tif 000002
【図２】
0004779268.tif 000003
【図３】
0004779268.tif 000004
【図４】
0004779268.tif 000005
【図５】
0004779268.tif 000006